(57)【特許請求の範囲】
【請求項１】
回転手段と回転刃とカバーとを有し、
前記回転手段は空気圧または油圧で回転軸を回転可能な構成を有し、
前記回転刃は基板と刃部とを有し、前記基板は円盤状であって表側が前記回転軸に対し垂直になるよう中心部で裏側から固定され、前記刃部は複数から成り、細長い形状であって、前記基板に中心部側から周縁部側へ放射状に伸びて前記基板の表側から刃先が突出するよう固定され、各刃先は牛の蹄の趾間裂に回転刃を挿入しやすくするよう、前記表側から突出する高さが前記基板の中心部側から周縁部側にかけて低くなっており、
前記カバーは前記回転刃の裏側および周縁部の全体を覆うよう前記回転手段に取り付けられ、
前記回転刃および前記カバーは牛の蹄の趾間裂に挿入可能な厚さであることを、
特徴とする牛の削蹄機。
【請求項２】
前記カバーは、前記回転刃の裏側を覆う円盤部と、前記円盤部の周縁に沿って設けられ、前記回転刃の周縁部を覆う側方部とを一体的に有し、前記側方部は前記回転軸に沿った方向の高さが各刃部の周縁部の高さまでになっていることを、特徴とする請求項１記載の牛の削蹄機。
【発明の詳細な説明】
【技術分野】
【０００１】
本発明は、牛の削蹄機に関する。
【背景技術】
【０００２】
従来の牛の削蹄機として、表側に複数の刃先を有する円盤状の回転刃を、電動のディスクグラインダーなどで回転させるものがある（例えば、特許文献１参照）。
【０００３】
【特許文献１】実開平５−９１３１４号公報
【発明の開示】
【発明が解決しようとする課題】
【０００４】
しかしながら、特許文献１に記載の削蹄機は、電動であるため、削蹄時の音が大きいという課題があった。また、削った蹄が周囲に飛び散り、作業者の目などに入り危険であるという課題もあった。作業者が回転刃に指などを挟む危険性があるという課題もあった。
【０００５】
本発明は、このような課題に着目してなされたもので、削蹄時の音を低減することができ、安全性が高い牛の削蹄機を提供することを目的としている。
【課題を解決するための手段】
【０００６】
上記目的を達成するために、本発明に係る牛の削蹄機は、回転手段と回転刃とカバーとを有し、前記回転手段は空気圧または油圧で回転軸を回転可能な構成を有し、前記回転刃は基板と刃部とを有し、前記基板は円盤状であって表側が前記回転軸に対し垂直になるよう中心部で裏側から固定され、前記刃部は複数から成り、細長い形状であって、前記基板に中心部側から周縁部側へ放射状に伸びて前記基板の表側から刃先が突出するよう固定され、各刃先は牛の蹄の趾間裂に回転刃を挿入しやすくするよう、前記表側から突出する高さが前記基板の中心部側から周縁部側にかけて低くなっており、前記カバーは前記回転刃の裏側および周縁部の全体を覆うよう前記回転手段に取り付けられ、前記回転刃および前記カバーは牛の蹄の趾間裂に挿入可能な厚さであることを、特徴とする。
【０００７】
本発明に係る牛の削蹄機によれば、回転手段により回転刃を回転させて、回転する回転刃の刃部の刃先を牛の蹄に当て、蹄を削ることができる。回転手段が空気圧または油圧で駆動するため、電動の場合に比べ、削蹄時の音を低減することができる。カバーが回転刃の周縁部を覆うよう設けられているため、作業者が回転刃に触れるのを防ぐことができ、安全性が高められている。カバーが回転刃の周囲を深く覆う場合には、削った蹄が飛び散るのをカバーで遮り、蹄の屑が作業者の目に入るのを防ぐことができる。
【０００８】
本発明に係る牛の削蹄機で、回転刃は回転手段に着脱可能に設けられていることが好ましい。また、刃部は、基板に着脱可能に設けられていることが好ましい。これらの場合、回転刃や刃部の交換や修理、掃除を容易に行うことができる。回転手段は、ディスクサンダーなどの市販の工具から成ることが好ましい。この場合、安価に製作することができる。カバーは回転軸に取り付けられて回転刃とともに回転するようになっていても、回転手段の本体に取り付けられて回転刃が回転してもカバーは回転しないようになっていてもよい。
【０００９】
本発明に係る牛の削蹄機によれば、回転刃およびカバーを牛の蹄の趾間裂に挿入し、趾間裂に伸びた蹄も削ることができる。各刃先は表側から突出する高さが基板の中心部側から周縁部側にかけて低くなっているため、牛の蹄の趾間裂に回転刃を挿入しやすく、趾間裂に伸びた蹄を容易に削ることができる。
本発明に係る牛の削蹄機で、前記カバーは、前記回転刃の裏側を覆う円盤部と、前記円盤部の周縁に沿って設けられ、前記回転刃の周縁部を覆う側方部とを一体的に有し、前記側方部は前記回転軸に沿った方向の高さが各刃部の周縁部の高さまでになっていてもよい。
【発明の効果】
【００１０】
本発明によれば、削蹄時の音を低減することができ、安全性が高い牛の削蹄機を提供することができる。
【発明を実施するための最良の形態】
【００１１】
以下、図面に基づき本発明の実施の形態について説明する。
図１および図２は、本発明の実施の形態の牛の削蹄機を示している。
図１に示すように、牛の削蹄機１は、回転手段２と回転刃３とカバー４と固定具５とを有している。
【００１２】
図１に示すように、回転手段２は、市販のディスクサンダー（日東工器株式会社製、製品名「ＭＡＳ−４０」）から成り、空気圧で駆動可能である。回転手段２は、本体１１側に向かって操作レバー１２を握ると、先端の回転軸１３がその中心まわりに回転するようになっている。回転軸１３は、先端部の周囲に雄ネジが形成されている。
【００１３】
図２に示すように、回転刃３は、円盤状の基板と複数の刃部１４とから成っている。各刃部１４は、基板の表側３ａから刃先が突出するよう基板に固定されている。各刃部１４は、細長い長方形の板状であって基板の表側３ａに中心部側から周縁部側へ放射状に伸びるよう固定されている。図２（ｂ）に示すように、各刃部１４の刃先は、表側３ａから突出する高さが基板の中心部側から周縁部側にかけて低くなっており、周縁部側の端部が緩やかな曲線形状を成している。図１および図２に示すように、回転刃３は、中心に雌ネジ孔を有し、その雌ネジ孔に裏側３ｂから回転軸１３を螺合させ、表側３ａが回転軸１３に対し垂直になるよう着脱可能に取り付けられている。これにより、回転刃３は、回転手段２の回転軸１３の回転により中心軸まわりに回転可能になっている。
【００１４】
図２に示すように、カバー４は、円盤状を成し、回転手段２の回転軸１３に着脱可能に取り付けられている。カバー４は、回転刃３が回転軸１３に取り付けられたとき、回転手段２の本体１１と回転刃３との間に配置される。カバー４は、円盤部１５と側方部１６とを一体的に有している。円盤部１５は回転刃３の裏側３ｂを覆い、側方部１６は円盤部１５の周縁に沿って設けられ、回転刃３の周縁部を覆っている。図２（ｂ）に示すように、側方部１６は、回転軸１３に沿った方向の高さが各刃部１４の周縁部の高さまでになっている。回転刃３およびカバー４は、牛の蹄の趾間裂に挿入可能な厚さである。
【００１５】
図１および図２に示すように、固定具５は、円盤状を成し、中心に雌ネジ固定孔１７を有している。固定具５は、その雌ネジ固定孔１７に回転軸１３を螺合させて回転軸１３に取り付けられている。固定具５は、回転軸１３にカバー４および回転刃３を取り付けた後、回転軸１３に螺合させることにより、カバー４および回転刃３を回転軸１３に固定する。固定具５は、チャックハンドルを使用して、回転軸１３に着脱可能である。
【００１６】
なお、具体的な一例では、回転刃３は、直径が１００ｍｍであり、４つの刃部１４を有している。カバー４および回転刃３は、双方を合わせた厚みが約１０ｍｍであり、牛の蹄の趾間裂に挿入可能となっている。
【００１７】
次に、作用について説明する。
牛の削蹄機１は、回転手段２により回転刃３を回転させて、回転する回転刃３の各刃部１４を牛の蹄に当て、蹄を削ることができる。カバー４および回転刃３が、牛の蹄の趾間裂に挿入可能な厚さのため、趾間裂に伸びた蹄も削ることができる。このとき、各刃部１４の刃先が表側３ａから突出する高さが基板の中心部側から周縁部側にかけて低くなっているため、牛の蹄の趾間裂に回転刃３を挿入しやすく、趾間裂に伸びた蹄を容易に削ることができる。
【００１８】
牛の削蹄機１は、回転手段２が空気圧で駆動するため、電動の場合に比べ、削蹄時の音を低減することができる。また、カバー４が回転刃３を覆うよう設けられているため、作業者が回転刃３に触れるのをカバー４で防ぐことができ、安全性が高められている。
【００１９】
牛の削蹄機１は、回転刃３が着脱可能に回転手段２に設けられているため、回転刃３の交換や修理、掃除を容易に行うことができる。回転手段２が市販のディスクサンダーから成るため、安価に製作することができる。
【図面の簡単な説明】
【００２０】
【図１】本発明の実施の形態の牛の削蹄機を示す側面図である。
【図２】図１に示す牛の削蹄機の回転刃およびカバーを示す（ａ）底面図、（ｂ）断面図である。
【符号の説明】
【００２１】
１    牛の削蹄機
２    回転手段
３    回転刃
４    カバー
５    固定具
１１  本体
１２  操作レバー
１３  回転軸
１４  刃部
１５  円盤部
１６  側方部
１７  固定孔
【要約】
【課題】削蹄時の音を低減することができ、安全性が高い牛の削蹄機を提供する。
【解決手段】回転刃３が円盤状を成し、複数の刃部１４が基板に表側３ａの中心部側から周縁部側へ放射状に伸びるよう固定されている。各刃部１４は基板の表側３ａから刃先が突出している。各刃部１４は、刃先が表側３ａから突出する高さが基板の中心部側から周縁部にかけて低くなっている。カバー４が、回転刃３の周縁部を覆うよう回転手段に取り付けられている。カバー４は、回転刃３とともに牛の蹄の趾間裂に挿入可能な厚さである。回転手段２が、空気圧または油圧で駆動して、回転刃３をその中心軸まわりに回転可能に設けられている。
【選択図】図１【図１】
0004275185.tif 000002
【図２】
0004275185.tif 000003